(57)【特許請求の範囲】
【請求項１】
角筒状外箱内に直方体状内箱が前後方向にスライド自在に挿入され，
上記外箱には，その正面部，背面部または両側面部の少なくともいずれかの面部にロック窓があけられており，
上記内箱はロックパネルを有し，このロックパネルは上記ロック窓に臨む内箱面部に重なるように一側において固定されるとともに，上記ロック窓に相当する箇所に外方に突出可能な折曲部を有し，
上記ロックパネルの一側と反対側の他側に，上記ロック窓に臨む内箱面部に隣接する面部に沿って垂直に折れ曲がる当接パネルがさらにつながっており，
上記ロックパネルの前端の幅が最も広く，その最大幅が上記ロック窓があけられている外箱面部における外箱の内法寸法よりも広く，上記ロックパネルの前端の位置において，上記内箱がスライドされる前後方向と垂直な向きにのびる上記当接パネルの前端縁が，外箱の内側面に接している，
スライド・カートン。
【請求項２】
上記ロックパネルの上記他側は後方に向かってロックパネルの幅が狭くなる方向に傾斜している，
請求項１に記載のスライド・カートン。
【請求項３】
上記外箱にあけられたロック窓の一辺が上記外箱の正面部，背面部，または両側面部の一側に沿っている，
請求項１または２に記載のスライド・カートン。
【請求項４】
上記ロックパネルには，上記ロックパネルの他側から所定の間隔をあけて前後方向に一または複数の間欠切込みが入れられている，
請求項１から３のいずれか一項に記載のスライド・カートン。
【請求項５】
上記内箱の前面部の４辺の少なくともいずれか一辺に，上記外箱の開口端と当接する第１の係止片が形成されている，
請求項１から４のいずれか一項に記載のスライド・カートン。
【請求項６】
上記内箱の前後方向に沿ってのびる辺に外方に突出する第２の係止片が形成されており，
上記第２の係止片が形成されている内箱の辺に対応する上記外箱の辺に，上記第２の係止片が通る切込みが前後方向に入れられている，
請求項１から５のいずれか一項に記載のスライド・カートン。
【発明の詳細な説明】
【技術分野】
【０００１】
この発明は外箱とこの外箱内に収容される内箱とを備えるスライド・カートンに関する。
【背景技術】
【０００２】
外箱内に収容された内箱をスライドさせて，内箱の外箱内からの出し入れを繰返すことができるスライド・カートンが知られている（たとえば，特許文献１）。
【０００３】
特許文献１では，携帯中の振動等によって外筒状体（外箱）内に収容された紙箱本体（内箱）が移動したり，抜け落ちたりするのを防止するために，紙箱本体の移動方向の両端部のそれぞれに垂直に突起を設け，この突起によって外筒状体の移動方向の両端縁を外側からそれぞれ挟んで係合することで，紙箱本体を外筒状体内にとどめている。紙箱本体をスライドさせて外筒状体内から取出すには紙箱本体の突起を強制的に折曲げる必要があるので，紙箱本体の引出し時に比較的大きな力が必要とされる。
【先行技術文献】
【特許文献】
【０００４】
【特許文献１】特開平９−２８６４３１号公報
【発明の開示】
【０００５】
この発明は，外箱と外箱内に収容される内箱とを堅牢に係合することができ，かつその係合を小さな力で外すことができるスライド・カートンを提供することを目的とする。
【０００６】
この発明はまた，小さな力で内箱をスライドできるようにすることを目的とする。
【０００７】
この発明はさらに，係合を外すときの内箱の変形を抑制することを目的とする。
【０００８】
この発明によるスライド・カートンは，角筒状外箱内に直方体状内箱が前後方向にスライド自在に挿入され，上記外箱には，その正面部，背面部または両側面部の少なくともいずれかの面部にロック窓があけられており，上記内箱はロックパネルを有し，このロックパネルは上記ロック窓に臨む内箱面部に重なるように一側において固定されるとともに，上記ロック窓に相当する箇所に外方に突出可能な折曲部を有し，上記ロックパネルの他側から上記内箱面部に隣接する面部に沿って垂直に折れ曲がる当接パネルがさらに形成され，上記ロックパネルの前端の幅が最も広く，その最大幅が上記ロック窓があけられている外箱面部における外箱の内法寸法よりも広く，上記ロックパネルの前端の位置において上記当接パネルの前端縁が外箱の内側面に接しているものである。
【０００９】
角筒状外箱内に収容された内箱は前後方向にスライドして，角筒状外箱の前方開口から角筒状外箱内に出し入れされる。角筒状外箱の後方は開口していてもよいし，閉じていてもよい。
【００１０】
ロックパネルの一側が内箱に固定されており，外箱にあけられたロック窓に臨む（面する）内箱面部に重ねられている。たとえば，ロック窓が外箱の正面部にあけられていれば，ロックパネルが重なる内箱面部は内箱の正面部になる。ロック窓が外箱の左側面部にあけられていれば，ロックパネルが重なる内箱面部は内箱の左側面部になる。
【００１１】
ロックパネルの他側には，ロックパネルが重なる内箱面部に隣接する面部に沿って垂直（ほぼ垂直でもよい）に折れ曲がる当接パネルが形成されている。ロックパネルが重なる内箱面部が内箱の正面部であれば，当接パネルは内箱の左右側面部のいずれかに沿って折れ曲がる。ロックパネルが重なる内箱面部が内箱の左右側面部のいずれかであれば，当接パネルは正面部または背面部のいずれかに沿って折れ曲がる。当接パネルはロックパネルの他側の全体にわたって形成されていてもよいし，その一部に形成されていてもよい。
【００１２】
内箱のロックパネルはその前端の幅が最も広く，その最大幅がロック窓があけられている外箱面部における外箱の内法寸法よりも広い。ロックパネルの前端の位置，すなわちロックパネルの最大幅の位置において当接パネルの前端縁が外箱の内側面に接している。ロックパネルの他側に形成されている当接パネルの前端縁が外箱によって内側に向けて押されるので，ロックパネルが内側に向けて付勢され，この付勢によってロックパネルの折曲部が折れ曲がる（持ち上がる）。折曲部は外箱にあけられたロック窓に相当する箇所にあるので，折曲がった折曲部は外箱のロック窓の外方に突出して内箱の折曲部と外箱のロック窓の窓枠とが係合する。この係合が解かれない限り，内箱の前方へのスライドがロックされる。
【００１３】
ロックパネルの他側に形成された当接パネルを折曲げたとき，ロックパネルには当接パネルを折曲げた方向と反対側の方向に反発作用が生じ，このときにも折曲部はわずかに折曲がる。そしてさらに上述のように外箱によってロックパネルが内側に向けて付勢されることでも折曲部は折曲がる。内箱を外箱内に収納した状態において折曲部が確実かつ良好に外方に突出してロック窓の窓枠に係合するので，外箱と外箱内に収容された内箱とを堅牢に係合することができる。
【００１４】
ロック窓の外方に突出している折曲部をロック窓を通して押し込むと，折曲部の折曲りが解消され（完全な解消でなくてもよく，折れ曲がりの程度が軽減されればよい），折曲部の突出が小さくなり，ついには折曲部とロック窓の窓枠との係合が外れる。小さな力で内箱のスライド・ロックを解除することができる。続いて内箱を前方に向けて押すまたはその方向に引っ張ると，内箱は前方にスライドして次第に外箱から外に出る。内箱の前面部を後方に向けて押すと内箱は後方にスライドして外箱内に再び収まる。外箱の内側面に接する当接パネルはその前端縁が線状に接しているので，当接パネルと外箱との摩擦は小さく，内箱を小さな力でスライドすることができる。
【００１５】
内箱のスライドのロックおよびその解除は，ロック窓の窓枠に係合する程度の折曲部の折曲けとその解消とによって実現されるので，ロックパネル（折曲部）に疲労が生じにくい。内箱の出し入れが多数回繰返されても，内箱を外箱内に収容するたびに外箱と内箱とを確実に係合することができる。
【００１６】
上記ロックパネルの上記他側は後方に向かってロックパネルの幅が狭くなる方向に傾斜していてもよい。
【００１７】
好ましい実施態様では，上記外箱にあけられたロック窓の一辺が上記外箱の正面部，背面部，または両側面部の一側に沿っている。ロックパネルの折曲部は外箱にあけられたロック窓に相当する箇所にあるので，ロック窓が外箱の正面部，背面部，または両側面部の一側に沿ってあけられている場合，内箱の折曲部も内箱の正面部，背面部または両側面部の一側付近に位置する。箱体は面部の中央付近よりも側縁に近い箇所の方が剛性が高い。ロックを解除するためにロック窓を通して押し込まれる折曲部が比較的剛性の高い内箱の一側付近にあるので，ロック解除時（折曲部の押込み時）における内箱の変形を抑制することができる。
【００１８】
ロック窓の上記一辺以外の辺（窓枠の縁）は直線状であっても弧状であってもよい。
【００１９】
一実施態様では，上記ロックパネルには，上記ロックパネルの他側から所定の間隔をあけて前後方向に一または複数の間欠切込み（リード罫，ミシン罫）が入れられている。間欠切込みの位置で折曲部を折れ曲がりやすくすることができる。
【００２０】
他の実施態様では，上記内箱の前面部の４辺の少なくともいずれか一辺に，上記外箱の開口端と当接する第１の係止片が形成されている。内箱の外箱内における収容位置を超える移動を阻止することができる。
【００２１】
他の実施態様では，上記内箱の前後方向に沿ってのびる辺に外方に突出する第２の係止片が形成されており，上記第２の係止片が形成されている内箱の辺に対応する外箱の辺に，上記第２の係止片が通る切込みが前後方向に入れられている。内箱をスライドさせるときに，内箱に形成された第２の係止片と外箱に入れられた切込みとによって内箱の移動長を規定することができるので，たとえば内箱の外箱からの抜け（脱落）を防止することができる。
【図面の簡単な説明】
【００２２】
【図１】第１実施例の内箱の展開図である。
【図２】第１実施例の外箱の展開図である。
【図３】組み立て途中の内箱を示す斜視図である。
【図４】組み立て途中の内箱を示す斜視図である。
【図５】組み立てが完成した内箱および外箱を示す斜視図である。
【図６】内箱と外箱の寸法関係を示す。
【図７】スライド・カートンの斜視図である。
【図８】図７のVIII−VIII線に沿う端面図である。
【図９】折曲部の近傍を拡大して示す一部切欠き斜視図である。
【図１０】外箱の正面部を破断して示すスライド・カートンの正面図である。
【図１１】外箱から内箱を引出す様子を示す斜視図である。
【図１２】図１１のXII−XII線に沿う端面図である。
【図１３】内箱が開封された状態のスライド・カートンの斜視図である。
【図１４】第１実施例の変形例におけるスライド・カートンの斜視図である。
【図１５】第２実施例の内箱の展開図である。
【図１６】第２実施例の外箱の展開図である。
【図１７】組み立てが完成した内箱および外箱を示す斜視図である。
【図１８】第２実施例のスライド・カートンの斜視図である。
【図１９】第２実施例の変形例における内箱の斜視図である。
【図２０】第３実施例の内箱の展開図である。
【図２１】第３実施例の外箱の展開図である。
【図２２】組み立てが完成した内箱および外箱を示す斜視図である。
【図２３】第３実施例のスライド・カートンの斜視図である。
【図２４】外箱から内箱を引出す様子を示す斜視図である。
【実施例】
【００２３】
（第１実施例）
図１は第１実施例の内箱１の展開図である。図２は第１実施例の外箱２の展開図である。図３および図４は組立て途中の内箱１を斜視的に示している。図５は組立てが完成した内箱１および外箱２を斜視的に示している。図６は外箱２内に内箱１を収容した状態を斜視的に示している。内箱１および外箱２は，いずれも厚紙，ボール紙，プラスチック・シート等（これらの複合材を含む）のシート状素材を展開図（図１，図２）にしたがって切断して，シート状素材から内箱１および外箱２のそれぞれのブランクを切取り，後述する切込みを入れ，適所を折曲げかつ接着することによってつくられる。内箱１のシート状素材と外箱２のシート状素材は同一であっても異なるものであってもよい。
【００２４】
内箱１の展開図（図１）および外箱２の展開図（図２）において，内箱１および外箱２を組み立てるときに折り曲げられる箇所（折り目，折り線）が鎖線によって示され，リード罫またはミシン罫（間隔をあけて形成された切込みまたは切れ目）が破線によって示されている。折り目は浅い切込み，筋状の押し型（押し罫）等によって形成される。
【００２５】
図１を参照して，内箱１の展開図には正面部12，左側面部13，背面部14および右側面部15がこの順番で横方向（図１において右向き）に連続してつながっている。正面部12の側縁に糊代11がつながっている。右側面部15の側縁にロックパネル16および当接パネル17がこの順番で連続してつながっている。
【００２６】
正面部12および背面部14はほぼ同一形状の縦長の矩形状の形状を持つ。組み立てられた内箱１において正面部12および背面部14は互いに対向する正面および背面になる。
【００２７】
左側面部13および右側面部15はほぼ同一形状の縦長の矩形状の形状を持つ。左側面部13および右側面部15の幅（上縁および下縁の長さ）は正面部12および背面部14の幅と比べて狭い。組立てられた内箱１において左側面部13および右側面部15が互いに対向する左側面および右側面となる。内箱１が組み立てられるとき，右側面部15と糊代11とが右側面部15を外側にして重ね合わされる。
【００２８】
正面部12の上縁に外側前面部21が，背面部14の上縁に内側前面部22が，それぞれつながっている。外側前面部21と内側前面部22はいずれも横長の矩形状であり，外側前面部21は内側前面部22よりも少し大きい。また，外側前面部21の両側端のそれぞれはわずかに側方に突出している。外側前面部21の両側端から突出する部分を翼部21ａと呼ぶ。翼部21ａの角は丸みを帯びている。左側面部13の上縁にフラップ23が，右側面部15の上縁にフラップ24が，それぞれつながっている。外側前面部21と内側前面部22は，内箱１を組立てるときに外側前面部21を外側にして同一の位置で重なり合わされて接着され，内箱１の前面を形成する。フラップ23，24は内側前面部22の両側部に接着される。以下，特段の区別を要しない場合には，外側前面部21および内側前面部22を前面部21，22と呼ぶ。
【００２９】
正面部12の下縁に外側後面部25が，背面部14の下縁に内側後面部26が，それぞれつながっている。外側後面部25と内側後面部26の形状はいずれも横長の矩形状であり，外側後面部25は内側後面部26よりも少し大きい。また，左側面部13の下縁にフラップ27が，右側面部15の下縁にフラップ28が，それぞれつながっている。外側後面部25および内側後面部26は，内箱１を組立てるときに外側後面部25を外側にして同一の位置で重なり合わされて接着され，内箱１の後面を形成する。フラップ27，28は内側後面部26の両側部に接着される。以下，特段の区別を要しない場合には，外側後面部25および内側後面部26を後面部25，26と呼ぶ。
【００３０】
糊代11，正面部12，左側面部13，および右側面部15のそれぞれの上側の位置に，直線状のリード罫11Ａ，12Ａ，13Ａ，15Ａが入れられている。正面部12に入れられたリード罫12Ａは正面部12の上縁とほぼ平行である。正面部12に入れられたリード罫12Ａの両端に糊代11および左側面部13のそれぞれに入れられたリード罫11Ａ，13Ａが連続しており，糊代11上および左側面部13上のリード罫11Ａ，13Ａはいずれも上縁に向けて斜め（リード罫11Ａは左上斜め，リード罫13Ａは右上斜め）を向いている。右側面部15に入れられたリード罫15Ａは下縁に向けて右下斜めを向いており，右側面部15に糊代11が重ねられたときに糊代11上のリード罫11Ａと右側面部15上のリード罫15Ａは重なり合う。また，背面部14の上側の位置には，左側面部13に入れられたリード罫13Ａの端と右側面部15に入れられたリード罫15Ａの端とを結ぶ折り目ｂが，背面部14の上縁とほぼ平行に形成されている。
【００３１】
右側面部15の側縁にロックパネル16の一側がつながり，このロックパネル16の他側に当接パネル17がさらにつながっている。
【００３２】
ロックパネル16は台形状の基部16ａと矩形状部分16ｂを含む。台形状基部16ａは互いに平行な２つの側縁と，一方の側縁の両端のそれぞれから互いに近づく向きにのび，他方の側縁の両端につながる２つの斜縁とを持つ。台形状基部16ａの一側が右側面部15の側縁につながっており，台形状基部16ａの他側に矩形状部分16ｂがつながっている。後述するように，矩形状部分16ｂは折曲がって外箱２内に収容された内箱１のスライドを解除可能にロックするロック機構として機能する。ロックパネル16の矩形状部分16ｂを，以下，折曲部16ｂという。
【００３３】
台形状基部16ａと折曲部16ｂとの境界に，直線状の第１のリード罫ｍ１が上下に入れられており，そこでロックパネル16は折れ曲がりやすくなっている。また，第１のリード罫ｍ１と，ロックパネル16（折曲部16ｂ）の他側（ロックパネル16と当接パネル17との境界の折り目ａ）との間にも直線状の第２のリード罫ｍ２が上下に入れられている。第２のリード罫ｍ２においてもロックパネル16は折れ曲がりやすくなっている。第２のリード罫ｍ２はロックパネル16（折曲部16ｂ）の他側（折り目ａ）に近い位置に入れられており，第１のリード罫ｍ１と第２のリード罫ｍ２との間の間隔は広く，第２のリード罫ｍ２と折り目ａとの間の間隔は狭い。
【００３４】
上述のように，ロックパネル16を構成する台形状基部16ａの一側が右側面部15の側縁につながっている。台形状基部16ａの一側の両端のそれぞれから互いに近づきながら側方にのびる２つの斜縁は，上側の斜縁の方が下側の斜縁よりも傾きが大きい。
【００３５】
右側面部15につながる台形状基部16ａの一側の長さは右側面部15の側縁の長さよりも短く，台形状基部16ａの一側の一端（傾きの小さい斜辺につながる一端）が右側面部15の下縁に位置している。一側の他端（傾きの大きい斜辺につながる他方端）は右側面部15の上縁から離れた位置にある。
【００３６】
ロックパネル16（折曲部16ｂ）の他側（折り目ａ）はわずかに傾いて形成されており，折曲部16ｂの上端（後述する組立てられた内箱１においては前端と呼ぶ）におけるロックパネル16の幅（側方にのびる長さ）Ｌ２が最も広い。ロックパネル16の他側（折り目ａ）を傾けて形成する意義については後述する。
【００３７】
また，折曲部16ｂの上端に沿うロックパネル16の最大幅Ｌ２は，正面部12の幅（正面部12の両側を結ぶ長さ）Ｌ１よりも大きい。ロックパネル16の最大幅Ｌ２を正面部12の幅Ｌ１よりも大きくする意義についても後述する。
【００３８】
右側面部15とロックパネル16（台形状基部16ａ）との境界に，わずかに右側面部15に向けて横方向にのび，そこから上縁（下縁）に向けて縦方向に進み，再び右側面部15とロックパネル16（台形状基部16ａ）との境界に横方向に戻る切込みｋ１が入れられている。内箱１が組立てられると，切込みｋ１によって囲まれた範囲は内箱１から外方にわずかに突出する突出片15ａとなる。
【００３９】
内箱１は次のようにして組み立てられる。左側面部13の上下縁につながるフラップ23，27，および右側面部15の上下縁につながるフラップ24，28を，ほぼ垂直に折り曲げる。左側面部13および右側面部15をほぼ垂直に折り曲げる。背面部14の上下縁につながる内側前面部22および内側後面部26を，フラップ23，24，27，28を外側から覆うようにしてほぼ垂直に折り曲げる。内側前面部22およびフラップ23，24と，内側後面部26およびフラップ27，28とを接着剤等によって接着する。
【００４０】
正面部12の上下縁につながる外側前面部21および外側後面部25と，正面部12の側縁につながる糊代11とをほぼ直角に折り曲げ，続いて正面部12をほぼ直角に折曲げる。正面部12を折曲げるとき，外側前面部21および外側後面部25は，それぞれ内側前面部22および内側後面部26の外側に位置させる。糊代11は右側面部15の内側に位置させる。外側前面部21と内側前面部22，外側後面部25と内側後面部26，糊代11と右側面部15とを，それぞれ接着剤等によって接着する。正面部12，背面部14，左側面部13，右側面部15，前面部21，22，および後面部25，26によって仕切られる内箱１のほぼ密閉の内部空間が形成される（図３）。
【００４１】
内箱１の内部空間を完全に密閉する前に，内箱１内には内容物，たとえば，食料品，嗜好品，おもちゃ等が入れられる。たとえば，正面部12を折曲げる前のタイミングで背面部14の上に内容物が入れられ，その後に正面部12が折り曲げられることで内容物が内箱１内に入れられる。もちろん，内箱１の前面を構成する外側前面部21，内側前面部22およびフラップ23，24を一番最後に組み立てる（接着する）ようにして，内箱１の前面から内箱１内に内容物を入れるようにしてもよい。また，外側前面部21，内側前面部22およびフラップ23，24と，外側後面部25，内側後面部26およびフラップ27，28を組立てず（接着せず）に，糊部11，正面部12，左側面部13，背面部14および右側面部15と，正面部12上に折重ねられたロックパネル16および当接パネル17とによって前方および後方が開口したスリーブ状としてそれを前方および後方の開口が閉じるようにつぶした（ひしゃげた）状態のものを用意し，それを製函充填機において起函して前方および後方を開口させ，いずれかの開口から内容物を入れ，その後に外側前面部21，内側前面部22およびフラップ23，24と，外側後面部25，内側後面部26およびフラップ27，28を組立てるようにしてもよい。
【００４２】
次に，ロックパネル16をほぼ直角に折り曲げ，ロックパネル16を正面部12にその外側から折り重ねる（図４）。ロックパネル16と正面部12とは接着しない。ロックパネル16と右側面部15との境界の切込みｋ１によって，内箱１の正面部12の一側に外方に突出する突出片15ａが現れる。
【００４３】
上述したように，ロックパネル16の最大幅Ｌ２は，正面部12の幅Ｌ１，すなわち内箱１の幅Ｌ１よりも大きいので，ロックパネル16を正面部12に折り重ねると，ロックパネル16の他側（折り目ａに相当する辺）は，ロックパネル16がつながる内箱１の辺と反対側の辺を超えてその外方に位置する。
【００４４】
次に，当接パネル17をほぼ垂直に下向きに折り曲げ，左側面部13の外側に折り重ねる。当接パネル17と左側面部13も接着しない。内箱１が完成する（図５）。
【００４５】
図５を参照して，当接パネル17を折り曲げると，当接パネル17がつながるロックパネル16には当接パネル17を折曲げた方向と反対側の方向に反発作用が生じる。すなわち，当接パネル17を左側面部13に沿うように下向きにほぼ垂直に折り曲げると，ロックパネル16には上向きの反発作用が生じる。ロックパネル16の当接パネル17に近い箇所に曲げが生じやすい第１，第２のリード罫ｍ１，ｍ２が入れられているので，当接パネル17を折り曲げたときに，上述の反発作用によって第１，第２のリード罫ｍ１，ｍ２においてロックパネル16はわずかに折曲がって折曲部16ｂは上方に少し持ち上がる（浮き上がる）。折曲部16ｂ（折曲部16ｂの前端ｎ１および後端ｎ２）と内箱１の正面部12との間にわずかに間隙があく。
【００４６】
図２を参照して，外箱２は右側面部32，ロック窓33Ａがあけられた正面部33，左側面部34および背面部35がこの順番で横方向（図２において右方向）に連続してつながっている。右側面部32の側縁に糊代31がつながっている。右側面部32および左側面部34の上縁には，下方に向かって概略半円状に窪んだ形状を持つ内箱掴み用の凹部32ａ，34ａがそれぞれ形成されている。右側面部32と正面部33との境界（わずかに右側面部32側にずれた位置）には，境界の上下縁のほぼ中央に位置に切込みｋ２が入れられている。正面部33および背面部35はほぼ同一形状の縦長の矩形状の形状を有している。右側面部32と左側面部34もほぼ同一形状の縦長の矩形状の形状を有している。右側面部32および左側面部34の横幅は正面部33および背面部35の横幅と比べて短い。
【００４７】
正面部33にあけられたロック窓33Ａは縦長のほぼ矩形状の形状を有している。ロック窓33Ａは，正面部33のやや下縁に近い位置にあけられており，その一辺（図２においては右辺）は正面部33と左側面部34の境界に沿っている。ロック窓33Ａは，上述した内箱１のロックパネル16の折曲部16ｂとほぼ同じ大きさを有しているが，ロック窓33Ａの窓枠の長手方向の間隔は折曲部16ｂの前端ｎ１と後端ｎ２の間の長さよりもわずかに広い。
【００４８】
外箱２は次のようにして組み立てられる。左右の側面部32，34をほぼ垂直に折曲げ，さらに背面部35および糊代31をほぼ直角に折曲げ，背面部35が外側となるようにして背面部35に糊代31を接着する。正面部33と背面部35が互いに対向し，左右側面部32，34が互いに対向し，前方および後方に矩形の開口を有する，角筒状の外箱２が完成する（図５）。
【００４９】
内箱１は，その後面部25，26側が外箱２の前方開口から外箱２内に押し入れられ，外箱２内に完全に収容することができる。収容された内箱１と外箱２との組を，以下，スライド・カートンと呼ぶ。以下の説明では，スライド・カートンの外箱２の前方開口と後方開口を垂直に結ぶ方向を「前後方向」または「スライド方向」という。外箱２の左右側面部32，34を垂直に結ぶ上記前後方向に直交する方向を「幅方向」と呼ぶ。外箱２の正面部33と背面部35とを垂直に結ぶ上記前後方向および幅方向のいずれにも直交する方向を「上下方向」とする。
【００５０】
図６は内箱１と外箱２の幅方向の寸法関係を示すものである。図６において，ロックパネル16は第１，第２のリード罫ｍ１，ｍ２で折り曲がっていない状態で示されている。また，図６において外箱２はその前端部の一部のみが断面によって示されている。図７は内箱１が外箱２内に完全に収容された様子を斜視的に示している。図８は図７のVIII−VIII線（ほぼ当接パネル17の前端縁ｎ１に沿う位置）に沿う端面図である。図９は内箱１が外箱２内に完全に収容された状態における折曲部16ｂ付近を拡大して示す一部切欠き斜視図である。図１０は内箱１が外箱２内に完全に収容された状態であって，外箱２の正面部33を破断して示すスライド・カートンの正面図である。
【００５１】
図６を参照して，折曲部16ｂの前端ｎ１に沿う位置におけるロックパネル16の最大幅Ｌ２は，上述したように，内箱１の幅（正面部12の幅）Ｌ１よりも大きい（Ｌ１＜Ｌ２，図１参照）。
【００５２】
また，外箱２の幅方向の内法寸法（両側面部32，34の内側面の間の間隔）Ｌ３も内箱１の幅Ｌ１よりも大きい（Ｌ１＜Ｌ３）。
【００５３】
さらに，ロックパネル16の最大幅Ｌ２は内箱１の幅Ｌ１よりも大きく，かつ外箱２の内法寸法Ｌ３よりも大きい（Ｌ１＜Ｌ３＜Ｌ２）。
【００５４】
内箱１は上述のようにその後面部25，26側が外箱２の前方開口から押し入れられる。外箱２の内法寸法Ｌ３が内箱１の幅Ｌ１よりも大きい（Ｌ１＜Ｌ３）ので，内箱１の後面部側は外箱２内にスムーズに入る。なお，詳細な図示は省略するが，外箱２の上下方向の内法寸法（前面部33と後面部35の内側面の間の長さ）も，ロックパネル16を含む内箱１の上下方向の寸法より少し大きいのは言うまでもない。
【００５５】
内箱１を外箱２内にさらに押し入れると，ロックパネル16の折曲部16ｂの後端ｎ２が外箱２の前端に到達する。ここで，上述したように，ロックパネル16（折曲部16ｂ）の他側（折り目ａ）は前後方向（スライド方向）に対してわずかに斜めに形成されているので，ロックパネル16の他側における辺（折り目ａに沿って当接パネル17を折曲げたときに折り目ａの位置に現れる辺。以下，他側辺ａという）も前後方向に対して斜めを向いている。ロックパネル16の折曲部16ｂの前端ｎ１の位置のロックパネル16の幅Ｌ２が最大幅であり，折曲部16ｂの後端ｎ２の位置のロックパネル16の幅はそれよりも狭い。すなわち，ロックパネル16の他側辺ａは後方に向かってロックパネル16の幅が狭くなる方向に傾斜している（逆に言えば，ロックパネル16はその後端ｎ２から前端ｎ１に向かうにしたがって次第に幅広になっている）。折曲部16ｂの後端ｎ２のロックパネル16の幅は，外箱２の内法寸法Ｌ３とほぼ一致するまたはそれよりも少し狭い。このため，ロックパネル16の折曲部16ｂの後端ｎ２は外箱２の前端に係止されることなく外箱２内に入る。
【００５６】
内箱１を外箱２内にさらに押し入れると，ロックパネル16の他側辺ａにつながっており，内箱１の左側面部13に沿って折り重ねられている当接パネル17の前端縁ｔが外箱２の左側面部34の内側面に当接し，外箱２によって次第に内側に押される（外箱２の左側面部34はわずかに外側に湾曲するまたは傾く）。当接パネル17が内側に押されることでロックパネル16が内側に向けて付勢され，その結果第１，第２のリード罫ｍ１，ｍ２のそれぞれで折曲部16ｂが折れ曲がる。ロックパネル16の下側には内箱１の正面部12が位置しているので，折曲部16ｂは上側に持ち上がることになる。上述のように，ロックパネル16の他側辺ａ（折り目ａ）と第２のリード罫ｍ２との間の間隔は狭く，第２のリード罫ｍ２と第１のリード罫ｍ１との間の間隔は広い。このため，内箱１の正面部12の外面（表面）を基準にして折曲部16ｂを観察すると，ロックパネル16の他側辺ａと第２のリード罫ｍ２の間には角度が急な急斜面が現れ，第２のリード罫ｍ２と第１のリード罫ｍ１との間には角度が緩やかな緩斜面が現れ，折曲部16ｂは第２のリード罫ｍ２を頂上とする山型の形状を持つようになる（図７，図８参照）。なお，内箱１を外箱２内に押し入れている途中においては，山型の折曲部16ｂ（その頂上の第２のリード罫ｍ２に相当する辺）は外箱２の正面部33の内側面に当接し，正面部33によって上方から軽く押さえつけられた状態である。
【００５７】
内箱１を外箱２内に押入れる途中，内箱１の正面部12の側縁から側方にわずかに突出する突出片15ａが外箱２の前端に当接するが，突出片15ａをわずかに下方に押込みながら内箱１を外箱２内に押し入れることによって，突出片15ａも外箱２内に押し入れることができる。突出片15ａは，内箱１を外箱２内に押入れている途中で外箱２に入れられた切込みｋ２の位置に達し，切込みｋ２の中に入り，わずかに外箱２の外に出る（図７，図１０参照）。後述するように，突出片15ａおよび切込みｋ２は内箱１の前方および後方へのスライドをその途中で係止するように機能する。
【００５８】
内箱１が外箱２内に完全に押し入れられると，折曲部16ｂが外箱２の正面部33にあけられたロック窓33Ａの位置に達する。すると，ロック窓33Ａの位置では外箱２の正面部33による上方からの押さえつけがなくなるので，折曲部16ｂが上方に持ち上がり，ロック窓33Ａの窓枠を超えてロック窓33Ａの外に出る。外箱２の左側面部34のわずかな外側への湾曲または傾きがほぼ元に戻る。折曲部16ｂの前端ｎ１の一部がロック窓33Ａの窓枠に係合するので，この係合が解かれない限り，内箱１が前方に移動することはない（図７，図８，図９）。
【００５９】
また，内箱１が外箱２内に完全に押し入れられると，内箱１の前面部を構成する外側前面部21の両側からわずかに側方に突出する翼部21ａが外箱２の前端に当接する。翼部21ａと外箱２の前端とによって内箱１のさらなる押し入れが阻止されるので，前面開口から外箱２内に押し入れられた内箱１が，外箱２の後面開口を通って再び外箱２の外に出てしまうことはない。また，内箱１を外箱２内に完全に押入れたとき，突出片15ａが外箱２の切込みｋ２の後端に当接する。突出片15ａと切込みｋ２によっても，内箱１の外箱２内への程度を越えた押し入れは防止される（図７，図１０）。
【００６０】
図９および図１０を参照して，上述したように，ロックパネル16の他側辺ａが前後方向に対して斜めを向いているので，ロックパネル16の他側につながる当接パネル17も斜めに傾斜している。スライド・カートンの左側面側では，当接パネル17の全面が外箱２の左側面部34の内側面に接触するのではなく，当接パネル17の上下方向にのびる前端縁ｔが外箱２の左側面部34の内側面に線状に接触する。内箱１と外箱２との間の摩擦が小さいので，内箱１をスムーズにスライドすることができる。また，当接パネル17の存在によって，ロックパネル16の折曲部16ｂの全体がロック窓33Ａの外に飛び出てしまうおそれもない。また，当接パネル17は，その前端と後端とを結ぶ長さがロック窓33Ａの前枠と後枠とを結ぶ長さを超える形状であってもよい。当接パネル17のロック窓33Ａからの飛出しが確実に防止できる。
【００６１】
図１１は外箱２内から内箱１を押出す（引出す）様子を斜視的に示している。図１２は図１１のXII−XII線に沿う端面図である。図１３は内箱１の前端部分を開口させた様子を斜視的に示している。
【００６２】
図１２を参照して，ロック窓33Ａの位置においてロック窓33Ａから外に出ている折曲部16ｂを指で下方に押し込むと，折曲部16ｂにかかる下向きの力は幅方向に分散される。ロックパネル16の他側辺ａにつながる当接パネル17の前端縁ｔが外箱２の左側面部34の内側面に線状に接しているので，外箱２の左側面部34はわずかに外向きに広がる。当接パネル17は下向きにその位置がずれる。
【００６３】
折曲部16ｂを下方に押込むことによって折曲部16の折れ曲がりが解消され（完全な解消でなくてもよく，折れ曲がりの程度が軽減されればよい），折曲部16の位置が下がり，ついには折曲部16の前端とロック窓33Ａの窓枠との係合が外れ，内箱１の前方へのスライドが可能な状態になる。図１１を参照して，折曲部16ｂを下方に押し込みつつ前方に押す，または折曲部16ｂを下方に押し込んでロックを解除した状態で外箱２の両側面部32，34の前端部分に形成された凹部32ａ，34ｂの位置において内箱１の両側面部13，15を指で掴んで前方に引っぱる。内箱１が前方に移動し外箱２の前方開口から次第に外に出る。上述したように，スライド・カートンの左側面側では，当接パネル17の上下方向にのびる前端縁ｔが外箱２の左側面部34の内側面に線状に接触しながら移動（摺動）する。摺動抵抗が小さいので小さい力で内箱１をスライドすることができる。
【００６４】
折曲部16ｂを下方に押込むと内箱１の正面部12が下方にわずかに湾曲する。しかしながら，ロック窓33Ａが外箱２の正面部33の側縁にその一辺を沿わせて形成されているので，内箱１の正面部12は左側面部13に近い箇所で下方に押される。比較的強度の高い箇所が押されるので，内箱１（内箱１の正面部12）の変形を極力抑制することができる。
【００６５】
内箱１を前方に移動しつづけると，切込みｋ２内に入っている突出片15ａが切込みｋ２の前端に当接し，ここで内箱１の前方へのスライドが止まる（図１１）。内箱１の外箱２からの抜け落ちが防止される。
【００６６】
図１３を参照して，外箱２の前方開口から外に出た内箱１の前端部分において，正面部12および背面部14を指で掴んで背面部14側に向けてひねると，内箱１の正面部12，両側面部13，15および糊代11に入れられたリード罫12Ａ，13Ａ，11Ａ，15Ａが裂け，内箱１の背面部14に形成された折り目ｂを軸にして内箱１の前端部分が回転し，折り目ｂの位置でつながった状態で内箱１の前端部分が開口する。この開口から内箱１内の内容物が取り出される。
【００６７】
上述した第１実施例では，完成した外箱２の前方開口から内箱１を押し入れる挿入方式によってスライド・カートンを組立てる例を説明したが，ラップラウンド方式によってスライド・カートンを組立てるようにしてもよい。ラップラウンド方式では，組立てられた内箱１と組立てられていない外箱２のブランクとが用意される。内箱１の正面部12と外箱２の正面部33の位置合わせを行ったのち，前面部および後面部を除く内箱１の周囲（正面部12，背面部14および左右側面部13，15）を包込むようにして外箱２のブランクが折り目の位置で折り曲げられて，スライド・カートンが組み立てられる。ラップラウンド方式においても，内箱１のロックパネル16の他側辺ａにつながる当接パネル17の前端縁ｔが外箱２の左側面部34によって内側に押されるので，ロックパネル16が第１のリード罫および第２のリード罫ｍ１，ｍ２において折曲がり，折曲部16ｂの一部が外箱２のロック窓33Ａの窓枠を超えてロック窓33Ａの外に出る。
【００６８】
上述した第１実施例では，ロックパネル16に第１，第２の２つのリード罫ｍ１，ｍ２が前後方向に入れられているが，さらに多数のリード罫を前後方向に入れるようにしてもよい。多数のリード罫のそれぞれにおいて折曲部16ｂが折れ曲がると，折れ曲がった折曲部16ｂは２つの斜面ではなく複数の斜面をもつようになる。
【００６９】
また，上述した第１実施例では，ロック窓33Ａは外箱２の正面部33にあけられており，ロック窓33Ａに係合する内箱１の折曲部16ｂを含むロックパネル16は，これに対応して内箱１の正面部12上に重ねられている。もちろん，ロック窓を外箱２の背面部35にあけ，これに対応して内箱１のロックパネル16を内箱１の背面部14上に重ねるようにしてもよい。また，外箱２の左右の側面部32，34のいずれかにロック窓をあけ，ロックパネル16はロック窓があけられた外箱２の側面部に対応する内箱１の側面部上に重ねるようにしてもよい。さらにロックパネル16の台形状基部16ａは必ずしも台形状でなくてもよく，矩形状その他の形状であってもよい。また，折曲部16ｂについても必ずしも矩形状でなくてもよく，台形状その他の形状であってもよい。
【００７０】
図１４は，第１実施例の変形例を示すもので，ロック窓34Ａが外箱２Ａの左側面部34にあけられており，これに対応して内箱１Ａのロックパネル16Ａが内箱１Ａの左側面部上に重ねられているスライド・カートンを斜視的に示している。図１４に示すスライド・カートンにおいて，外箱２Ａの左側面部34の前端に近い位置にロック窓34Ａがあけられており，これに対応して，内箱１Ａのロックパネル16Ａ（折曲部16ｃ）が内箱１Ａの前端に近い，左側面部上に位置している。ロックパネル16Ａに第１実施例のロックパネル16の台形状基部16ａに相当する部分はなく，ロックパネル16Ａの全体が折曲部16ｃとなっている。ロックパネル16Ａはその一側が内箱１Ａの背面部の側縁につながっており内箱１Ａの左側面部上に折り重ねられている。ロックパネル16Ａの他側辺ａにつながる当接パネル17ａは内箱１Ａの正面部上に折り重ねられている。また，ロックパネル16Ａ（折曲部16ｃ）の前端ｎ１の位置のロックパネル16Ａの幅が最大幅であり，ロックパネル16Ａの他側辺ａは後方に向かってロックパネル16Ａの幅が狭くなる方向に傾斜している。もちろん，ロックパネル16Ａは内箱１Ａの正面部の側縁につなげてもよく，この場合には当接パネル17ａは内箱１Ａの背面部上に折り重ねられる。
【００７１】
第１実施例と同様に，上述の変形例のスライド・カートンにおいて，リード罫ｍ２において折れ曲がる山型の折曲部16ｃの一部がロック窓34Ａの外に出ており，折曲部16ｃの前端とロック窓34Ａの窓枠との係合によって内箱１Ａのスライドがロックされる。ロック窓34Ａを通して折曲部16ｃを押込むことによって折曲部16ｃとロック窓34Ａの窓枠との係合が外れ，内箱１Ａの前方へのスライドが可能となる。
【００７２】
（第２実施例）
図１５は第２実施例の内箱３の展開図である。図１６は第２実施例の外箱４の展開図である。図１７は組み立てが完成した内箱３および外箱４の斜視図である。図１８は外箱４内に内箱３が収容されている様子（第２実施例のスライド・カートン）を示している。図１５から図１８に示す内箱３および外箱４において，図１から図１３に示す第１実施例の内箱１および外箱２を構成する面部等と同一の形状を持つ面部等には同一符号を付し，重複した詳細な説明を省略する。
【００７３】
図１５を参照して，第２実施例の内箱３は，外側前面部21が背面部14の上縁に，内側前面部22が正面部12の上縁にそれぞれつながっており，外側後面部25が背面部14の下縁に，内側後面部26が前面部12の下縁につながっている点が，第１実施例の内箱１（図１参照）と異なる。
【００７４】
さらに第２実施例の内箱３は，ロックパネルおよびロックパネルにつながる当接パネルの位置も，第１実施例の内箱１と異なっている。内箱３の外側後面部25の下縁に横長の矩形状の延長パネル51がつながっており，この延長パネル51の左側の側縁にロックパネル16Ｂおよび当接パネル17ｂがつながっている。ロックパネル16Ｂは基部を持たずその全体が折曲部16ｄである。
【００７５】
図１６を参照して，第２実施例の外箱６は，その左側面部34のやや下縁に近い位置にロック窓34Ｂがあけられている点が，正面部33にロック窓33Ａがあけられている第１実施例の外箱２（図２参照）と異なる。第１実施例の外箱２の両側面部32，34の上縁に形成されている凹部32ａ，34ａが形成されていない点も，第１実施例の外箱２と異なる。
【００７６】
図１７を参照して，第１実施例と同様にして，内箱３のブランクが折り目に沿って折曲げられかつ適所が接着される。内箱３においてはさらに，外側後面部25につながっている延長パネル51はほぼ直角に折り曲げて正面部12に重ねる。延長パネル51の一側につながるロックパネル16Ｂはほぼ垂直に折り曲げて左側面部13に重ねる。ロックパネル16Ｂの他側（他側辺ａ）につながる当接パネル17ｂはほぼ直角に折り曲げて背面部14に重ねる。直方体状の内箱３が完成する。
【００７７】
第１実施例と同様にして外箱４のブランクを折り目に沿って折曲げかつ適所を接着することによって角筒状の外箱４が完成する（図１７）。
【００７８】
第２実施例のスライド・カートンでは，外箱４の前方開口と後方開口を垂直に結ぶ方向を「前後方向」または「スライド方向」とし，外箱４の正面部33と背面部35を垂直に結ぶ上記前後方向に直交する方向を「幅方向」と呼ぶ。外箱４の左右側面部32，34を垂直に結ぶ上記前後方向および幅方向のいずれにも直交する方向を「上下方向」とする。第１実施例と同様にして，ロックパネル16Ｂ（折曲部16ｄ）の前端ｎ１の位置におけるロックパネル16Ｂの最大幅は，ロックパネル16Ｂが重なる内箱３の幅（左側面部13の幅）よりも大きい。外箱４の幅方向の内法寸法（正面部33と背面部35の内側面の間の間隔）は内箱３の幅よりも大きい。さらに，ロックパネル16Ｂの最大幅は内箱３の幅よりも大きく，かつ外箱４の幅方向の内法寸法よりも大きい。また，ロックパネル16Ｂの他側辺ａはわずかに傾いて形成されており，ロックパネル16Ｂの他側辺ａはその前端ｎ１から後端ｎ２に向かってロックパネル16Ｂの幅が狭くなる方向に傾斜している。ロックパネル16Ｂの後端ｎ２に沿うロックパネル16Ｂの幅は外箱４の幅方向の内法寸法とほぼ一致するまたはそれよりも少し狭い。
【００７９】
内箱３をその後面部25，26から外箱４の前方開口に向けて押し入れると，内箱３の背面部14に折重ねられている当接パネル17の前端縁ｔが外箱４の背面部14の内側面に当接し，次第に内側に押される。ロックパネル16Ｂはリード罫ｍ２で折れ曲がる。折曲部16ｂにリード罫ｍ２を頂上とする山型の形状が現れる。折曲部16ｄが外箱４の左側面部34にあけられたロック窓34Ｂの位置に達すると，折曲部16ｄはロック窓34Ａの窓枠を超えてロック窓34Ｂの外に出る。折曲部16ｄがロック窓34Ａの窓枠に係合する（図１８）。
【００８０】
第２実施例のスライド・カートンも，その背面側において当接パネル17ｂの全面が外箱４の背面部35の内側面に接触するのではなく，当接パネル17ｂの前端縁ｔが外箱４の背面部35の内側面に線状に接触する。内箱３と外箱４との摩擦が小さく，内箱３をスムーズにスライドすることができる。
【００８１】
内箱３を外箱４から引き出す場合，ロック窓34Ｂの位置において折曲部16ｄを押し込みつつ前方に押す，または折曲部16ｄを押し込んだ状態で内箱３の外側前面部21から側方にわずかに突出する翼部21ａに指（または爪）をかけて，内箱３を前方に引っぱる。内箱３は外箱４の前方開口から次第に外に出る。リード罫12Ａ，13Ａ，11Ａ，15Ａを裂くことで内箱３の前端部分が開口し，そこから内容物が取り出されるのは第１実施例（図１３参照）と同じである。
【００８２】
図１９は第２実施例の変形例を示すもので，組み立て途中の内箱３Ａの斜視図である。内箱３Ａは，図１９に示すように，その正面部が開口しているトレータイプのものであってもよい（内箱３Ａの正面部に相当する箇所には前端側に短い差し込み片61がある）。内箱３Ａを外箱４から引出すと内箱３Ａの背面部14上にある内容物（図示略）が現れる。
【００８３】
第２実施例およびその変形例においても，完成した外箱４の前方開口から内箱３，３Ａを押し入れる挿入方式によってスライド・カートンを組立てるのに代えて，ラップラウンド方式によってスライド・カートンを組立てるようにしてもよい。
【００８４】
（第３実施例）
図２０は第３実施例の内箱５の展開図である。図２１は第３実施例の外箱６の展開図である。図２２は組立てが完成した内箱５および外箱６を斜視的に示している。図２３は外箱６内に内箱５が収容されている様子（第３実施例のスライド・カートン）を斜視的に示している。図２４は外箱６から内箱５を押し出している様子を斜視的に示している。図２０から図２４に示す内箱５および外箱６おいて，図１から図１３に示す第１実施例の内箱１および外箱２を構成する面部等と同一の形状を持つ面部等には同一符号を付し，重複した詳細な説明は省略する。
【００８５】
図２０を参照して，第３実施例の内箱５には，第１実施例の内箱１の糊代11，正面部12，左側面部13および右側面部15に入れられているリード罫11Ａ，12Ａ，13Ａ，15Ａ（図１参照）は入れられていない。第３実施例の内箱５はその正面部12の上側の位置に内容物取出口12Ｂがあけられており，この内容物取出口12Ｂを通して内容物が内箱５の外に取り出される。
【００８６】
内容物取出口12Ｂはその一辺が外方（側方）に向かってわずかに弧状に曲がっており，残りの三辺は直線状であり，全体としてはほぼ矩形である。内容物取出口12Ｂの弧状の一辺と反対側の直線状の一辺が，正面部12の側縁（正面部12と左側面部13の境界）に沿っている。
【００８７】
右側面部15の側縁にロックパネル16Ｃの一側がつながり，このロックパネル16Ｃの他側に当接パネル17がつながっている。第３実施例のロックパネル16Ｃも，第１実施例のロックパネル16と同様に台形状基部16ｅと折曲部16ｂとを含み，台形状基部16ｄの一側が右側面部15の側縁に，台形状基部16ｅの他側に折曲部16ｂがつながっている。第１実施例の内箱１のロックパネル16とは，ロックパネル16Ｃを構成する台形状基部16ｅの一側の長さが右側面部15の側縁の長さと一致している点，台形状基部16ｅの一側の両端のそれぞれから互いに近づきながら側方にのびる２つの斜縁の傾きがほぼ同じである点が異なる。
【００８８】
図２１を参照して，第３実施例の外箱６は，その正面部33にあけられたロック窓33Ｂが，正面部33の上縁および下縁を結ぶ方向のほぼ中央に位置している点が，やや下縁に近い位置にロック窓33Ａがあけられている第１実施例の外箱２（図２参照）と異なる。また，第３実施例の外箱６は，正面部33の上縁に横長の矩形状のロック補強片36がつながっている点，および第１実施例の外箱２の左右の側面部32，34の上縁に形成されている凹部32ａ，34ａが形成されていない点も，第１実施例の外箱２と異なる。
【００８９】
正面部33の上縁につながるロック補強片36は，正面部33との境界位置で折りたたまれて，筒状に組立てられる外箱６の前端部分の内側面に接着される。このとき，ロック補強片36の先端の位置はロック窓33Ｂの前端側の窓枠の位置とほぼ一致する。
【００９０】
図２２を参照して，第１実施例と同様にして内箱５のブランクを折り目に沿って折曲げかつ適所を接着することによって直方体状の内箱５が完成する。また，第１実施例と同様にして外箱６のブランクを折り目に沿って折曲げかつ適所を接着し，さらにロック補強片36を折りたたんで正面部33の内側面に接着することで角筒状の外箱６が完成する。
【００９１】
第３実施例の内箱５，外箱６の幅方向の寸法関係は，第１実施例の内箱１，外箱２の幅方向寸法の関係と同じである（図６参照）。すなわち，折曲部16ｂの前端ｎ１におけるロックパネル16Ｃの最大幅は，内箱５の幅よりも大きい。外箱６の内法寸法（両側面部32，34の内側面の間の間隔）Ｌ３は内箱５の幅よりも大きい。さらに，ロックパネル16Ｃの最大幅は内箱５の幅よりも大きく，かつ外箱６の内法寸法よりも大きい。また，ロックパネル16Ｃの他側辺（折り目）ａはわずかに傾いて形成されており，ロックパネル16Ｃの他側辺ａは折曲部16ｂの前縁ｎ１から後端ｎ２に向かって幅が狭くなる方向に傾斜している。折曲部16ｂの後端ｎ２に沿うロックパネル16Ｃの幅は外箱６の内法寸法とほぼ一致するまたはそれよりも少し狭い。
【００９２】
内箱５をその後面部25，26から外箱６の前方開口に向けて押し入れると，内箱５の左側面部13に折重ねられている当接パネル17の前端縁が外箱６の左側面部34の内側面に当接し，次第に内側に押される。ロックパネル16Ｃは内側に向かう力によって付勢され，その結果，第１，第２のリード罫ｍ１，ｍ２のそれぞれで折れ曲がる。折曲部16ｂに第２のリード罫ｍ２を頂上とする山型の形状が現れる。折曲部16ｂが外箱６の正面部33にあけられたロック窓33Ｂの位置に達すると，折曲部16ｂが上方に持ち上がってロック窓33Ｂの窓枠を超えてロック窓33Ｂの外に出る（図２３）。折曲部16ｂがロック窓33Ｂの窓枠およびロック補強片36の端面に係合する。
【００９３】
内箱５を外箱６内に完全に収容した状態において，内箱５の正面部12にあけられた内容物取出口12Ｂは外箱６の正面部33によってその全体が覆われている，内箱５が外箱６内に収容されてスライドがロックされているときに，内箱５の内容物取出口12Ｂから内容物がこぼれ落ちてしまうことはない。
【００９４】
第３実施例のスライド・カートンも，その左側面側において当接パネル17の全面が外箱６の左側面部34の内側面に接触するのではなく，当接パネル17の上下方向にのびる前端縁ｔ（図６，図９，図１０参照）が外箱６の左側面部34の内側面に線状に接触する。内箱５と外箱６との摩擦が小さく，内箱５をスムーズにスライドすることができる。
【００９５】
内箱５を外箱６から引き出す場合，ロック窓33Ｂの位置において折曲部16ｂを下方に押し込みつつ前方に押す，または折曲部16ｂを下方に押し込んだ状態で内箱５の外側前面部21から側方にわずかに突出する翼部21ａに指（または爪）をかけて，内箱５を前方に引っぱる。第３実施例では，折曲部16ｂの前縁ｎ１がロック窓33Ｂの窓枠のみならず，ロック補強片36の端面によっても係止されているので，ロックを解除するには第１実施例よりもわずかに余分に（外箱６を構成するシートの厚さ分だけ）折曲部16ｂを下方に押す必要がある。前方に移動した内箱５は外箱６の前方開口から次第に外に出る。外箱６の前方開口から内箱５の正面部12にあけられた内容物取出口12Ｂが現れ，そこから内箱５内の内容物が取出される（図２４）。
【００９６】
第３実施例においても，完成した外箱６の前方開口から内箱５を押し入れる挿入方式によってスライド・カートンを組立てるのに代えて，ラップラウンド方式によってスライド・カートンを組立てるようにしてもよい。また，ロック窓33Ｂを，外箱６の正面部33に代えて，背面部35，または左右側面部32，34のいずれかにあけ，内箱５のロックパネル16Ｃ（折曲部16ｂ）をロック窓33Ｂがあけられた外箱６の面部に対応する面部に位置させるようにしてもよい。
【符号の説明】
【００９７】
１，３，５  内箱
２，４，６  外箱
12  内箱の正面部
13  内箱の左側面部
14  内箱の背面部
15  内箱の右側面部
16，16Ａ，16Ｂ，16Ｃ  ロックパネル
16ｂ，16ｃ，16ｄ  折曲部
17，17ａ，17ｂ  当接パネル
21  内箱の内側前面部
22  内箱の外側前面部
25  内箱の内側後面部
26  内箱の外側後面部
32  外箱の右側面部
33  外箱の正面部
33Ａ，33Ｂ，34Ａ，34Ｂ  ロック窓
34  外箱の左側面部
35  外箱の背面部
【図１】
0005636852.tif 000002
【図２】
0005636852.tif 000003
【図３】
0005636852.tif 000004
【図４】
0005636852.tif 000005
【図５】
0005636852.tif 000006
【図６】
0005636852.tif 000007
【図７】
0005636852.tif 000008
【図８】
0005636852.tif 000009
【図９】
0005636852.tif 000010
【図１０】
0005636852.tif 000011
【図１１】
0005636852.tif 000012
【図１２】
0005636852.tif 000013
【図１３】
0005636852.tif 000014
【図１４】
0005636852.tif 000015
【図１５】
0005636852.tif 000016
【図１６】
0005636852.tif 000017
【図１７】
0005636852.tif 000018
【図１８】
0005636852.tif 000019
【図１９】
0005636852.tif 000020
【図２０】
0005636852.tif 000021
【図２１】
0005636852.tif 000022
【図２２】
0005636852.tif 000023
【図２３】
0005636852.tif 000024
【図２４】
0005636852.tif 000025